(57)【要約】【課題】電話の着信拒否の設定が容易であり、着信側の移動端末装置が何れの位置にあっても接続拒否が十全に機能し得る通信システム、ユーザプロファイル保持装置、および、接続制御装置を提供する。【解決手段】接続拒否条件登録装置１１０に、発信元の位置によって特定される接続拒否条件を登録しておく。接続制御装置１２０は当該発信元の端末装置（１０１，１５１）の所在位置と所定の相関を有する発信元位置情報を認識し、該認識された発信元位置情報が接続拒否条件登録装置１１０に登録された接続拒否条件に該当するか否かを識別して該識別結果に応じた接続制御を行い、適切に着信拒否を行う。【選択図】      図１
2010045660.tif 000002
【特許請求の範囲】
【請求項１】
ユーザの意思に基づいて設定された一定範囲の発信元の位置によって特定される接続拒否条件が登録される接続拒否条件登録装置と、
当該発信元の端末装置の所在位置と所定の相関を有する発信元位置情報を認識し、該認識された発信元位置情報が前記接続拒否条件登録装置に登録された接続拒否条件に該当するか否かを識別し、該識別結果に応じて接続制御を実行する接続制御装置と、
を含んで構成されていることを特徴とする通信システム。
【請求項２】
ユーザの意思に基づいて設定された一定範囲の発信元の位置によって特定される接続拒否条件が登録される接続拒否条件登録部と、
当該発信元の端末装置の所在位置と所定の相関を有する発信元位置情報を認識し該認識を外部に提供可能に保持する発信元位置認識部と、
を含んで構成されていることを特徴とするユーザプロファイル保持装置。
【請求項３】
ユーザの意思に基づいて設定された一定範囲の発信元の位置によって特定される接続拒否条件が登録される接続拒否条件登録部と、
当該発信元の端末装置の所在位置と所定の相関を有する発信元位置情報を認識する発信元位置認識部と、
前記発信元位置認識部で認識された発行元位置情報が前記接続拒否条件登録部に登録された接続拒否条件に該当するか否かを識別し、該識別結果を外部の所定の接続制御装置に提供する接続拒否識別部と、
を含んで構成されていることを特徴とするユーザプロファイル保持装置。
【請求項４】
前記発信元位置認識部は、固定通信システムの当該発信元の端末装置における識別子に基づいて発信元位置情報を認識することを特徴とする請求項２または３に記載のユーザプロファイル保持装置。
【請求項５】
前記発信元位置認識部は、移動体通信システムの当該発信元の端末装置における在圏エリアに基づいて発信元位置情報を認識することを特徴とする請求項２または３に記載のユーザプロファイル保持装置。
【請求項６】
ユーザの意思に基づいて設定された一定範囲の発信元の位置によって特定される接続拒否条件を表す情報を取得する接続拒否条件取得部と、
当該発信元の端末装置の所在位置と所定の相関を有する発信元位置情報を認識する発信元位置情報認識部と、
前記発信元位置情報認識部で認識された発信元位置情報が前記接続拒否条件取得部で取得された接続拒否条件に該当するか否かを識別する接続拒否識別部と、
前記接続拒否識別部における識別結果に基づいて接続制御を実行する接続制御部と、
を備えていることを特徴とする接続制御装置。
【請求項７】
前記発信元位置認識部は、固定通信システムの当該発信元の端末装置における識別子に基づいて発信元位置情報を認識することを特徴とする請求項６に記載の接続制御装置。
【請求項８】
前記発信元位置認識部は、移動体通信システムの当該発信元の端末装置における在圏エリアに基づいて発信元位置情報を認識することを特徴とする請求項６に記載の接続制御装置。
【請求項９】
ユーザの意思に基づいて設定された一定範囲の発信元の位置によって特定される接続拒否条件に、当該発信元の端末装置の所在位置と所定の相関を有する発信元位置情報が、該当するか否かを識別した結果を表す識別結果情報を取得する識別結果情報取得部と、
前記識別結果情報取得部で取得された識別結果情報に基づいて接続制御を実行する接続制御部と、
を備えていることを特徴とする接続制御装置。
【請求項１０】
ユーザの意思に基づいて設定された一定範囲の発信元の位置によって特定される接続拒否条件が登録される接続拒否条件登録部と、当該発信元の端末装置の所在位置と所定の相関を有する発信元位置情報を認識し該認識を外部に提供可能に保持する発信元位置情報認識部と、を含んで構成されているユーザプロファイル保持装置から前記接続拒否条件登録部に登録されている接続拒否条件および前記発信元位置情報認識部に保持されている発信元位置情報をそれぞれ取得する接続拒否関連情報取得部と、
前記接続拒否関連情報取得部によって取得した接続拒否条件および発信元位置情報に基づいて該発信元位置情報が接続拒否条件に該当するか否かを識別する接続拒否識別部と、
前記接続拒否識別部における識別結果に基づいて接続制御を実行する接続制御部と、
を備えていることを特徴とする接続制御装置。
【発明の詳細な説明】
【技術分野】
【０００１】
本発明は、通信システム、ユーザプロファイル保持装置、および、接続制御装置に関し、特に、ユーザにとって好ましくない特定の発信元から発信された通信がユーザの端末装置に接続されることを有効に回避することを可能にした通信システム、ユーザプロファイル保持装置、および、接続制御装置に関する。
【背景技術】
【０００２】
近年、例えば、携帯電話や携帯メールで受信者がその着信を望まないような所謂迷惑電話或いは迷惑メールが頻繁に着信して携帯電話のユーザを煩わすような事態の発生が珍しくない。
従って、このような状況に対処するため、そこからの着信を望まない特定の発信者からの電話や電子メールについて着信を拒否するための技術的手段についても既に普及するに到っている。
【０００３】
現在の移動体通信網において、予め登録した電話番号からの着信を「おかけになった電話番号への通話はおつなぎできません」といった自動音声のメッセージで応答し、自動的に電話を終了させるサービスは既に実施されている。
一方、上述のような特定の発信者からの電話や電子メールについて着信を拒否するためのユーザによる設定操作を簡素化するための手法についても種々提案されている。
【０００４】
例えば、着信を望まない発信相手からの着信や、通話終了後に任意の番号にダイヤルすることによりその後の着信を拒否するというサービスでは、着信側の端末装置にユーザが着信を拒否する発信者の電話番号をその都度入力する必要があるという煩わしさを解消しようとする次のような提案がある。
即ち、携帯電話端末にユーザが事前に設定した条件により不特定者からの着信を制限するか否かを決定する規制条件を記憶させ、着信の際に発信者情報を取得し、該記憶されている規制条件を満す該当発信者情報を記憶し、着信制限を望む発信者に関して着信拒否設定を携帯電話交換網側に設定するというものである。
【０００５】
網側において着信拒否発信者情報を記憶する一方、発信者の情報を取得し、双方の情報を対照して該当する着信制限端末装置への着信を拒否し、且つ、当該発信者には着信拒否通知を行うというものである（例えば特許文献１等参照）。
また、移動端末装置の現在位置や時間帯に応じて着呼の抑止の自動制御を行わせるという提案がある。
【０００６】
この提案では、移動端末装置が着信を受け付けない地域情報をあらかじめこの移動端末装置の着信番号に対応させて記憶しておき、該移動端末装置が着信を受け付けない地域に位置する場合には、他の端末からこの移動端末装置の着信番号あてに発呼されても、その着呼を抑止する。
更に、この移動端末装置の位置を記憶保持しておき、前記着信を受け付けない地域情報と比較することにより、着呼の抑止条件を判定するといったことも提案されている（例えば特許文献２等参照）。
【０００７】
他方、子供に持たせる移動端末装置に対して、親の意図しない端末からの着信を防ぎ、また、親からの着信以外を許可しないようにするといった提案もある。
これは、親が保有する移動端末装置からの操作入力により、子供に持たせる移動端末装置に対する着信可否を設定するもので、サービス受付センタで、発信者番号、およびメール着信時の発アドレスの登録を受け付け、このサービス受付センタの発番号照合部で着信拒否の発信者番号または発アドレスを照合して、子供に持たせる移動端末装置に対する着信の可否を制御する（例えば特許文献３等参照）。
【特許文献１】特開２００４−３３６６３７号公報（要約、段落０００６〜段落００９等）
【特許文献２】特開２００３−１８６５７号公報（要約、段落０００５等）
【特許文献３】特開２００３−３３８８７９号公報（要約、段落０００５等）
【発明の開示】
【発明が解決しようとする課題】
【０００８】
上掲の特許文献１および２には、移動端末装置側ではなく（或いは移動端末装置と共に）システム側に着信拒否対象とされる電話番号（即ち、発信元の識別子）を登録することが開示されている。
また、サービス受付センタを利用して電話番号を登録する特許文献３に開示された技術についても、この点は同様である。
【０００９】
上述のように、従来の移動体通信網（移動体通信システム）における着信制御（着信拒否）サービスは、発信元の識別子を登録しておき該登録された識別子に基づいて当該サービスを実施するように構成されている。
このような従来のシステムでは、例えば、休暇中には仕事関係の連絡は断ちたいといった場合には、移動体通信網（その網のシステムに設置された交換機）に着信拒否対象とされる電話番号（即ち、発信元の識別子）を登録することによって、そのような要望を満たすことが可能となる。
【００１０】
しかしながら、電話番号を入力し登録する操作によって着信制御（着信拒否）サービスを利用するのでは、そのための操作が繁雑であり、設定に間違いを生じる虞がある。
他方、交友関係が自宅周辺に限られているはずの子供に、他の地域からその子供に持たせてある移動端末装置に着信が生じるという場合は、不審者からの通信であることも考えられ、このような場合における着信は拒否したいといった要請もある。
【００１１】
このような着信拒否における設定に際しては、子供に交友関係の範囲と連絡先を問い質し、着信拒否リストに登録する必要があり、この場合も登録のための操作が繁雑であり、設定に間違いを生じる虞があり、更には、子供とのコミュニケーションの如何によっては登録をするための情報が不十分であったりすることも予測される。
さらにまた、着信側の移動端末装置に着信拒否リストを保持して着信拒否設定を行う方法を採る場合には、移動端末装置のコストが増大し、また、着信を拒否される通信に対しても網のリソースを割り当てる必要が生じるため、網のリソースが無駄に占有されてしまうといった問題も派生してくる。
【００１２】
上述の従来の技術を総じて、発信元の識別子（電話番号）自体を特定して登録しておく場合には設定時の操作が繁雑であり、一方、着信側の移動端末装置の現在位置によって着信を拒否する場合は、着信側の移動端末装置が着信を拒否する領域を脱している場合には何れの発信元からの通信も当該着信側の移動端末装置に接続されることになり着信拒否は機能しない。
【００１３】
本発明は、上述のような状況に鑑みてなされたものであり、電話の着信拒否の設定が容易であり、着信側の移動端末装置が何れの位置にあっても接続拒否が十全に機能し得る通信システム、ユーザプロファイル保持装置、および、接続制御装置を提供することを目的とする。
【課題を解決するための手段】
【００１４】
上記課題を解決するべく、本願では次に列記するような技術を提案する。
尚、本願では、「接続」の語を、発信元の端末装置から受信する端末装置までの通信路が確立する場合のみならず、上記のような通信路が部分的に設定される場合をも含む意で用い、着信に係る通信路が設定される場合を包摂する語として用いる。
本発明の請求項１の通信システムは：
ユーザの意思に基づいて設定された一定範囲の発信元の位置によって特定される接続拒否条件が登録される接続拒否条件登録装置と、
当該発信元の端末装置の所在位置と所定の相関を有する発信元位置情報を認識し、該認識された発信元位置情報が前記接続拒否条件登録装置に登録された接続拒否条件に該当するか否かを識別し、該識別結果に応じて接続制御を実行する接続制御装置と、
を含んで構成されていることを特徴とする。
【００１５】
上記請求項１の通信システムでは、例えばユーザ自身による操作、或いは、ユーザの依頼に応じての操作による等ユーザの意思に基づいて接続拒否条件登録装置に一定範囲の発信元の位置によって特定される接続拒否条件が登録される。
当該発信元の端末装置の所在位置と所定の相関を有する発信元位置情報を認識し、該認識された発信元位置情報が前記接続拒否条件登録装置に登録された接続拒否条件に該当するか否かの識別、および、該識別結果に応じた接続制御が、接続制御装置によって実行される。
【００１６】
当該発信元の端末装置の所在位置に応じた、例えば着信拒否の制御である場合を含む接続制御が可能になる。
本発明の請求項２のユーザプロファイル保持装置は：
ユーザの意思に基づいて設定された一定範囲の発信元の位置によって特定される接続拒否条件が登録される接続拒否条件登録部と、
当該発信元の端末装置の所在位置と所定の相関を有する発信元位置情報を認識し該認識を外部に提供可能に保持する発信元位置認識部と、
を含んで構成されていることを特徴とする。
【００１７】
上記請求項２のユーザプロファイル保持装置では、例えばユーザ自身による操作、或いは、ユーザの依頼に応じての操作による等ユーザの意思に基づいて接続拒否条件登録装置に一定範囲の発信元の位置によって特定される接続拒否条件が登録される。
更に、発信元位置認識部によって、当該発信元の端末装置の所在位置と所定の相関を有する発信元位置情報が認識され、該認識は前記発信元位置認識部において外部に提供可能に保持される。
【００１８】
以上の構成を持つユーザプロファイル保持装置における、前記接続拒否条件登録部に登録されている一定範囲の発信元の位置、および、前記発信元位置認識部で保持されている発信元位置情報を、所定の接続制御装置が読み取り、前記接続拒否条件登録部に登録された接続拒否条件に該当するか否かの識別、および、該識別結果に応じた接続制御を実行することが可能になる。
【００１９】
本発明の請求項３のユーザプロファイル保持装置は：
ユーザの意思に基づいて設定された一定範囲の発信元の位置によって特定される接続拒否条件が登録される接続拒否条件登録部と、
当該発信元の端末装置の所在位置と所定の相関を有する発信元位置情報を認識する発信元位置認識部と、
前記発信元位置認識部で認識された発行元位置情報が前記接続拒否条件登録部に登録された接続拒否条件に該当するか否かを識別し、該識別結果を外部の所定の接続制御装置に提供する接続拒否識別部と、
を含んで構成されていることを特徴とする。
【００２０】
上記請求項３のユーザプロファイル保持装置では、例えばユーザ自身による操作、或いは、ユーザの依頼に応じての操作による等ユーザの意思に基づいて接続拒否条件登録装置に一定範囲の発信元の位置によって特定される接続拒否条件が登録される。
更に、発信元位置認識部によって、当該発信元の端末装置の所在位置と所定の相関を有する発信元位置情報が認識される。
【００２１】
接続拒否識別部において、前記発信元位置認識部で認識された発行元位置情報が前記接続拒否条件登録部に登録された接続拒否条件に該当するか否かを識別し、該識別結果を外部の所定の接続制御装置に提供する。
以上の構成を持つユーザプロファイル保持装置における該識別結果を、所定の接続制御装置が読み取り、該識別結果に応じた接続制御を実行することが可能になる。
【００２２】
本発明の請求項４のユーザプロファイル保持装置は：
上記請求項２または３のユーザプロファイル保持装置において特に、前記発信元位置認識部は、固定通信システムの当該発信元の端末装置における識別子に基づいて発信元位置情報を認識することを特徴とする。
上記請求項４のユーザプロファイル保持装置では、前記発信元位置認識部が、固定通信システムの当該発信元の端末装置における識別子（例えば電話番号）に基づいて発信元位置情報を認識する。
【００２３】
本発明の請求項５のユーザプロファイル保持装置は：
上記請求項２または３のユーザプロファイル保持装置において特に、前記発信元位置認識部は、移動体通信システムの当該発信元の端末装置における在圏エリアに基づいて発信元位置情報を認識することを特徴とする。
上記請求項５のユーザプロファイル保持装置では、前記発信元位置認識部が、移動体通信システムの当該発信元の端末装置における在圏エリアに基づいて発信元位置情報を認識する。
【００２４】
本発明の請求項６の接続制御装置は：
ユーザの意思に基づいて設定された一定範囲の発信元の位置によって特定される接続拒否条件を表す情報を取得する接続拒否条件取得部と、
当該発信元の端末装置の所在位置と所定の相関を有する発信元位置情報を認識する発信元位置情報認識部と、
前記発信元位置情報認識部で認識された発信元位置情報が前記接続拒否条件取得部で取得された接続拒否条件に該当するか否かを識別する接続拒否識別部と、
前記接続拒否識別部における識別結果に基づいて接続制御を実行する接続制御部と、
を備えていることを特徴とする。
【００２５】
上記請求項６の接続制御装置では、接続拒否条件取得部が所定のユーザプロファイル保持装置等に保持されている、ユーザの意思に基づいて設定された一定範囲の発信元の位置によって特定される接続拒否条件を表す情報を取得する。
また、発信元位置情報認識部が、当該発信元の端末装置の所在位置と所定の相関を有する発信元位置情報を認識する。
【００２６】
更に、接続拒否識別部が、前記発信元位置情報認識部で認識された発信元位置情報が前記接続拒否条件取得部で取得された接続拒否条件に該当するか否かを識別する。
接続制御部が、前記接続拒否識別部における識別結果に基づいて接続制御を実行する。
従って、当該発信元の端末装置の所在位置に応じた、例えば着信拒否の制御である場合を含む接続制御が可能になる。
【００２７】
本発明の請求項７の接続制御装置は：
上記請求項６の接続制御装置において特に、前記発信元位置認識部は、移動体通信システムの当該発信元の端末装置における在圏エリアに基づいて発信元位置情報を認識することを特徴とする。
上記請求項７の接続制御装置では、前記発信元位置認識部は、固定通信システムの当該発信元の端末装置における識別子（例えば電話番号）に基づいて発信元位置情報を認識する。
【００２８】
本発明の請求項８の接続制御装置は：
上記請求項６の接続制御装置において特に、前記発信元位置認識部は、移動体通信システムの当該発信元の端末装置における在圏エリアに基づいて発信元位置情報を認識することを特徴とする。
上記請求項８の接続制御装置では、前記発信元位置認識部は、移動体通信システムの当該発信元の端末装置における在圏エリアに基づいて発信元位置情報を認識する。
【００２９】
本発明の請求項９の接続制御装置は：
ユーザの意思に基づいて設定された一定範囲の発信元の位置によって特定される接続拒否条件に、当該発信元の端末装置の所在位置と所定の相関を有する発信元位置情報が、該当するか否かを識別した結果を表す識別結果情報を取得する識別結果情報取得部と、
前記識別結果情報取得部で取得された識別結果情報に基づいて接続制御を実行する接続制御部と、
を備えていることを特徴とする。
【００３０】
上記請求項９の接続制御装置では、ユーザの意思に基づいて設定された一定範囲の発信元の位置によって特定される接続拒否条件に、当該発信元の端末装置の所在位置と所定の相関を有する発信元位置情報が、該当するか否かを識別した結果を表す識別結果情報を、識別結果情報取得部が取得する。
更に、接続制御部が、前記識別結果情報取得部で取得された識別結果情報に基づいて接続制御を実行する。
【００３１】
従って、当該発信元の端末装置の所在位置に応じた、例えば着信拒否の制御である場合を含む接続制御が可能になる。
本発明の請求項１０の接続制御装置は：
ユーザの意思に基づいて設定された一定範囲の発信元の位置によって特定される接続拒否条件が登録される接続拒否条件登録部と、当該発信元の端末装置の所在位置と所定の相関を有する発信元位置情報を認識し該認識を外部に提供可能に保持する発信元位置情報認識部と、を含んで構成されているユーザプロファイル保持装置から前記接続拒否条件登録部に登録されている接続拒否条件および前記発信元位置情報認識部に保持されている発信元位置情報をそれぞれ取得する接続拒否関連情報取得部と、
前記接続拒否関連情報取得部によって取得した接続拒否条件および発信元位置情報に基づいて該発信元位置情報が接続拒否条件に該当するか否かを識別する接続拒否識別部と、
前記接続拒否識別部における識別結果に基づいて接続制御を実行する接続制御部と、
を備えていることを特徴とする。
【００３２】
上記請求項１０の接続制御装置では、ユーザの意思に基づいて設定された一定範囲の発信元の位置によって特定される接続拒否条件が登録される接続拒否条件登録部と、当該発信元の端末装置の所在位置と所定の相関を有する発信元位置情報を認識し該認識を外部に提供可能に保持する発信元位置情報認識部と、を含んで構成されているユーザプロファイル保持装置から、接続拒否関連情報取得部が、前記接続拒否条件登録部に登録されている接続拒否条件および前記発信元位置情報認識部に保持されている発信元位置情報をそれぞれ取得する。
【００３３】
更に、接続拒否識別部が、前記接続拒否関連情報取得部によって取得した接続拒否条件および発信元位置情報に基づいて該発信元位置情報が接続拒否条件に該当するか否かを識別する。
接続制御部が、前記接続拒否識別部における識別結果に基づいて接続制御を実行する。
従って、当該発信元の端末装置の所在位置に応じた、例えば着信拒否の制御である場合を含む接続制御が可能になる。
【発明の効果】
【００３４】
本発明によれば、電話の着信拒否の設定が容易であり、着信側の移動端末装置が何れの位置にあっても接続拒否が十全に機能し得る通信システム、ユーザプロファイル保持装置、および、接続制御装置が実現される。
【発明を実施するための最良の形態】
【００３５】
以下、図面を参照して本発明の実施の形態について詳述することにより本発明を明らかにする。
（本発明の移動体通信システムの実施の形態）
図１は、本発明の実施の形態としての通信システムを表す概念図である。
図１において、通信システム１０は移動体通信網２０およびＰＳＴＮ（Public Switched Telephone  Network：公衆交換電話網）３０を含んで構成されている。移動体通信網２０は後述する接続拒否条件登録装置１１０および接続制御装置１２０とが結ばれて構成され、この接続制御装置１２０によって、発信元の端末装置と仮定された例えば携帯電話機１０１と着信先の端末装置と仮定された例えば携帯電話機１０２との間の通信経路の接続および非接続が制御されるように構成されている。
【００３６】
この種の通常の移動体通信網におけると同様に、発信元の携帯電話機１０１と対応する基地局１２１との間は無線で結ばれ、また、着信先の携帯電話機１０２と対応する基地局１２２との間は無線で結ばれている。
一方、ＰＳＴＮ３０は、交換機１５０とホームメモリ１６０とを含むそれ自体は公知のものであり、電話機１５１がホームメモリ１６０に保有された加入者情報を参照して接続制御を行う交換機１５０を介して目的とする相手方と通信可能に構成されている。
【００３７】
上述の移動体通信網２０において、接続拒否条件登録装置１１０は、例えばＨＬＲ（Home Location Resister）に類似の構成を有するが、この接続拒否条件登録装置１１０によってユーザの意思に基づいて設定された一定範囲の発信元の位置によって特定される接続拒否条件が登録される。
ここにおける登録では、例えばユーザ自身による操作（端末装置への操作）、或いは、ユーザの依頼に応じての操作（通信事業者側での操作）による等ユーザの意思に基づいて、接続拒否条件登録装置１１０に一定範囲の発信元の位置によって特定される接続拒否条件が登録される。
【００３８】
接続拒否の条件を一定範囲の発信元の位置によって特定することの意味合いは次のようなものである。
即ち、その領域から発信される通信は、例えば仕事関係の発信者からの発信である蓋然性が高く、従って、リゾート地で保養中である場合等のように、目下の時点においてはその方面からは望ましからざるメッセージが発信されてくる虞があるといった想定の下に、或る一定範囲の領域を特定する形を以って、接続拒否条件が登録される。
【００３９】
或いはまた、子供に移動端末装置（携帯電話機）を持たせる場合、通常の子供の交友範囲と目される地域の外からその移動端末装置に着信が生じるという場合は、不審者からの通信であることも考えられるため、このような場合においては、当該交友範囲のある地域の外を接続拒否対象の領域として接続拒否条件が登録される。
接続制御装置１２０では、発信元の端末装置である例えば移動体通信端末装置である携帯電話機１０１、或いは、ＰＳＴＮにおける固定電話機１５１の現実の所在位置を表す位置情報、或いは、現実の所在位置と所定の相関を有する位置情報である発信元位置情報を認識し、該認識された発信元位置情報が前記接続拒否条件登録装置に登録された接続拒否条件に該当するか否かの識別、および、該識別結果に応じた接続制御が実行される。
【００４０】
この接続制御は、上述のように、当該発信元の端末装置１０１（１５１）の所在位置に応じた、例えば接続拒否（着信拒否である場合を含む）を行う制御である。
図２は、本発明の一つの実施形態としてのユーザプロファイル保持装置を表すブロック図である。
図２のユーザプロファイル保持装置２００は、接続拒否条件登録部２１０と、発信元位置認識部２２０とを含んで構成されている。
【００４１】
接続拒否条件登録部２１０には、ユーザの意思に基づいて設定された一定範囲の発信元の位置によって特定される接続拒否条件が登録される。
発信元位置認識部２２０は、発信元の端末装置の所在位置と所定の相関を有する発信元位置情報を認識し該認識を外部に提供可能に保持する。
接続拒否条件登録部２１０における接続拒否条件の登録は、図１における接続拒否条件登録装置１１０について説明したところと同様に、例えばユーザ自身による操作（端末装置への操作）、或いは、ユーザの依頼に応じての操作（通信事業者側での操作）による等ユーザの意思に基づいて、接続拒否条件登録部２１０に一定範囲の発信元の位置によって特定される接続拒否条件が登録される。
【００４２】
接続拒否の条件を一定範囲の発信元の位置によって特定することの意味合いについては、図１の接続拒否条件登録装置１１０について説明したところと同様である。
以上の構成を持つユーザプロファイル保持装置２００における、接続拒否条件登録部２１０に登録されている一定範囲の発信元の位置、および、発信元位置認識部２２０で保持されている発信元位置情報を、図を参照して後述するような所定の接続制御装置が読み取り、接続拒否条件登録部２１０に登録された接続拒否条件に該当するか否かの識別、および、該識別結果に応じた接続制御を実行することが可能になる。
【００４３】
図３は、本発明の他の実施形態としてのユーザプロファイル保持装置を表すブロック図である。
図示のとおり、ユーザプロファイル保持装置３００は、接続拒否条件登録部３１０、発信元位置認識部３２０、および、接続拒否識別部３３０を含んで構成されている。
接続拒否条件登録部３１０には、ユーザの意思に基づいて設定された一定範囲の発信元の位置によって特定される接続拒否条件が登録される。
【００４４】
発信元位置認識部３２０は、当該発信元の端末装置の所在位置と所定の相関を有する発信元位置情報を認識する。
接続拒否識別部３３０は、発信元位置認識部３２０で認識された発行元位置情報が接続拒否条件登録部３１０に登録された接続拒否条件に該当するか否かを識別し、該識別結果を後述するような外部の接続制御装置に提供する。
【００４５】
接続拒否条件登録部３１０における接続拒否条件の登録も、図１における接続拒否条件登録装置１１０について説明したところと同様に、例えばユーザ自身による操作（端末装置への操作）、或いは、ユーザの依頼に応じての操作（通信事業者側での操作）による等ユーザの意思に基づいて、一定範囲の発信元の位置によって特定される接続拒否条件が登録される。
【００４６】
接続拒否の条件を一定範囲の発信元の位置によって特定することの意味合いについても、図１の接続拒否条件登録装置１１０について説明したところと同様である。
発信元位置認識部３２０によって、当該発信元の端末装置の所在位置と所定の相関を有する発信元位置情報が認識される。これは、後述するように、例えば、当該発信元の端末装置の識別子である電話番号の市外局番等から特定される地域などに関する情報である。
【００４７】
接続拒否識別部３３０において、発信元位置認識部３２０で認識された発行元位置情報が接続拒否条件登録部３１０に登録された接続拒否条件に該当するか否かを識別し、該識別結果を外部の接続制御装置に提供する。
以上の構成を持つユーザプロファイル保持装置３００における上述の識別結果を、図を参照して後述するような所定の接続制御装置が読み取り、この識別結果に応じた、例えば接続拒否等の接続制御を実行することが可能になる。
【００４８】
図４は、本発明の一つの実施の形態としての接続制御装置を示すブロック図である。
この接続制御装置４００は、図示のように、接続拒否条件取得部４１０、発信元位置情報認識部４２０、接続拒否識別部４３０、および、接続制御部４４０を備えている。
接続拒否条件取得部４１０は、例えば、図２、図３を参照して説明したような所定のユーザプロファイル保持装置等から、そこに保持されているユーザの意思に基づいて設定された一定範囲の発信元の位置によって特定される接続拒否条件を表す情報を取得する。
【００４９】
発信元位置情報認識部４２０は、当該発信元の端末装置の所在位置と所定の相関を有する発信元位置情報を認識する。この認識は、例えば、発信元の電話番号のような識別子に基づいて上述のようなユーザプロファイル保持装置として機能するＨＬＲに問い合わせて認識を得てもよい。
接続拒否識別部４３０は、発信元位置情報認識部４２０で認識された発信元位置情報が接続拒否条件取得部４１０で取得された接続拒否条件に該当するか否かを識別する。
【００５０】
接続制御部４４０は、接続拒否識別部４３０における識別結果に基づいて接続制御を実行する。
この接続制御は、当該発信元の端末装置の所在位置に応じた、例えば接続拒否（着信拒否である場合を含む）を行う制御である。
【００５１】
図５は、本発明の他の実施の形態としての接続制御装置を示すブロック図である。
図５の接続制御装置５００は、識別結果情報取得部５１０と、接続制御部５２０と、を備えている。
識別結果情報取得部５１０は、ユーザの意思に基づいて設定された一定範囲の発信元の位置によって特定される接続拒否条件に、当該発信元の端末装置の所在位置と所定の相関を有する発信元位置情報が、該当するか否かを識別した結果を表す識別結果情報を、取得する。
【００５２】
ここに取得される識別結果情報は、例えば、図３を参照して説明したような所定のユーザプロファイル保持装置３００（その接続拒否識別部３３０）に保持されているものである。
接続制御部５２０は、識別結果情報取得部で取得された識別結果情報に基づいて接続制御を実行する。この接続制御は、当該発信元の端末装置の所在位置に応じた、例えば接続拒否（着信拒否である場合を含む）を行う制御である。
【００５３】
図６は、本発明の更に他の実施の形態としての接続制御装置を示すブロック図である。
図６の接続制御装置６００は、接続拒否関連情報取得部６１０、接続拒否認識部６２０、および、接続制御部６３０を備えている。
この接続制御装置６００は、図２を参照して既述のような、ユーザの意思に基づいて設定された一定範囲の発信元の位置によって特定される接続拒否条件が登録される接続拒否条件登録部と、当該発信元の端末装置の所在位置と所定の相関を有する発信元位置情報を認識し該認識を外部に提供可能に保持する発信元位置情報認識部と、を含んで構成されているユーザプロファイル保持装置に保持された情報を参照して作動する。
【００５４】
即ち、接続拒否関連情報取得部６１０が、上述のようなユーザプロファイル保持装置（図２：２００）から、その接続拒否条件登録部（図２：２１０）に登録されている接続拒否条件を取得し、更に、発信元位置情報認識部（図２：２２０）に保持されている発信元位置情報を取得する。
更に、接続拒否識別部６２０が、接続拒否関連情報取得部６１０によって取得した接続拒否条件および発信元位置情報に基づいて該発信元位置情報が接続拒否条件に該当するか否かを識別する。
【００５５】
接続制御部６３０が、上述の接続拒否識別部６２０における識別結果に基づいて接続制御を実行する。この接続制御は、当該発信元の端末装置の所在位置に応じた、例えば接続拒否（着信拒否である場合を含む）を行う制御である。
図４、図５、および、図６を参照して説明した接続制御装置４００、５００、および、６００において、それらの接続制御部４４０、５２０、および、６３０は、該当する端末装置からの発信要求を受けて、接続先の端末装置までのルーチング情報を要求し、また、配下に接続先の端末装置がある場合には該ルーチング情報の払い出しを行う呼制御装置と連携して作動する構成態様を採り得る。但し、このような呼制御装置と連携して作動する態様を採ることは必須とされるものではない。
【産業上の利用可能性】
【００５６】
本発明は、電話の着信拒否の設定が容易であり、着信側の移動端末装置が何れの位置にあっても接続拒否が十全に機能し得る通信システム、ユーザプロファイル保持装置、および、接続制御装置を実現するために有効に利用可能である。
【図面の簡単な説明】
【００５７】
【図１】本発明の実施の形態としての通信システムを表す概念図である。
【図２】本発明の実施形態としてのユーザプロファイル保持装置を表すブロック図である。
【図３】本発明の他の実施形態としてのユーザプロファイル保持装置を表すブロック図である。
【図４】本発明の一つの実施の形態としての接続制御装置を示すブロック図である。
【図５】本発明の他の実施の形態としての接続制御装置を示すブロック図である。
【図６】本発明の更に他の実施の形態としての接続制御装置を示すブロック図である。
【符号の説明】
【００５８】
１０…通信システム
２０…移動体通信網
３０…ＰＳＴＮ
１０１…携帯電話機
１０２…携帯電話機
１１０…接続拒否条件登録装置
１２０…接続制御装置
１２１…基地局
１２２…基地局
１５０…交換機
１５１…固定電話機
１６０…ホームメモリ
１４０…インターフェース部
２００…ユーザプロファイル保持装置
２１０…接続拒否条件登録部
２２０…発信元位置認識部
３００…ユーザプロファイル保持装置
３１０…接続拒否条件登録部
３２０…発信元位置認識部
３３０…接続拒否識別部
４００…接続制御装置
４１０…接続拒否条件取得部
４２０…発信元位置情報認識部
４３０…接続拒否識別部
４４０…接続制御部
５００…接続制御装置
５１０…識別結果情報取得部
５２０…接続制御部
６００…接続制御装置
６１０…接続拒否関連情報取得部
６２０…接続拒否認識部
６３０…接続制御部
【図１】
2010045660.tif 000003
【図２】
2010045660.tif 000004
【図３】
2010045660.tif 000005
【図４】
2010045660.tif 000006
【図５】
2010045660.tif 000007
【図６】
2010045660.tif 000008